(57)【要約】  【課題】付帯したリモコン装置の盗難を所定のタイミングで自動的に検知でき、また、一時的なリモコン装置の入れ替えについても従来通り対応できるカラオケ演奏装置と、万一リモコン装置が盗難されたとしても、その盗難リモコン装置が別のカラオケ演奏装置にて不正使用された際、これを効率的に検知できるカラオケシステムの提供。  【解決手段】ＩＤが付されたリモコン装置からの演奏予約の際、演奏予約信号と共に当該リモコン装置のＩＤ識別信号を受け取らせ、演奏予約と次の演奏予約との間の経過時間を計測する時間計測手段を設け、そのＩＤ別に、計測値が予め設定された規定値に達した場合、当該達した旨を知らしめるためのアラーム機能をカラオケ演奏装置に付帯させ、また、そのカラオケ演奏装置を利用し、当該規定値到達ＩＤをカラオケホスト装置にアップロードさせて一括的に管理し、その規定値到達ＩＤをネットワーク接続された各カラオケ演奏装置にダウンロードさせるカラオケシステムを構築した。【選択図】図３
2005283808.tif 000002
【特許請求の範囲】
【請求項１】
カラオケ楽曲を配信するためのカラオケホスト装置にネットワーク接続され、付帯したリモコン装置からの演奏予約に従い、順次カラオケ楽曲の演奏を行うためのカラオケ演奏装置において、
（ア）付帯した各リモコン装置にはそれぞれＩＤが付されており、任意のリモコン装置からの演奏予約の際、演奏予約信号と共に当該リモコン装置のＩＤ識別信号を受け取るためのリモコン信号受信手段と、
（イ）前記各リモコン装置からＩＤ識別信号を受信した時点で、当該ＩＤ別に、計測値を初期化すると共に新たな時間計測を開始する時間計測手段と、を備え、
（ウ）前記時間計測手段により、任意のＩＤの計測値が予め設定された規定値に達した場合、当該達した旨を知らしめるためのアラーム機能を有することを特徴とするカラオケ演奏装置。
【請求項２】
請求項１記載のカラオケ演奏装置を利用したカラオケシステムであって、
（エ）前記時間計測手段により、任意のＩＤの計測値が予め設定された規定値に達した場合、当該規定値到達ＩＤを前記カラオケ演奏装置内の所定の記録部に登録すると共に、当該登録された規定値到達ＩＤを、前記カラオケホスト装置にアップロードして、当該カラオケホスト装置内の所定の記録部に登録するためのＩＤアップロード登録処理手段と、
（オ）前記登録された規定値到達ＩＤを前記カラオケホスト装置に接続された各カラオケ演奏装置にダウンロードして、当該各カラオケ演奏装置内の所定の記録部に登録するためのＩＤダウンロード登録処理手段と、を含んでなり、
（カ）前記各カラオケ演奏装置が前記ＩＤダウンロード登録処理手段により登録された前記規定値到達ＩＤと同じＩＤのＩＤ識別信号を受信した場合、当該受信した旨を知らしめるためのアラーム機能を有することを特徴とするカラオケシステム。
【請求項３】
（キ）前記各カラオケ演奏装置にはそれぞれ端末ＩＤが付されており、任意のカラオケ演奏装置が前記規定値到達ＩＤと同じＩＤのＩＤ識別信号を受信した場合、当該端末ＩＤを前記カラオケホスト装置にアップロードして、当該カラオケホスト装置内の所定の記録部に登録するための端末ＩＤアップロード登録処理手段を、さらに含んでなることを特徴とする請求項２記載のカラオケシステム。
【発明の詳細な説明】
【技術分野】
【０００１】
本発明は、カラオケ楽曲を配信するためのカラオケホスト装置にネットワーク回線を介して接続され、付帯したリモコン装置からの演奏予約に従い、順次カラオケ楽曲の演奏を行うためのカラオケ演奏装置およびこれを利用したカラオケシステムに関する。
【背景技術】
【０００２】
従来、カラオケ演奏装置に付帯されたリモコン装置は、利用者が所望するカラオケ楽曲の演奏予約を、その楽曲コードの送信をもって所定のカラオケ演奏装置に予約登録させるものであるが、最近では、タッチパネル式のディスプレイを利用者インタフェイスとして有し、楽曲索引データベースを用いて任意の検索条件に基づき適合するカラオケ楽曲を検索して、その検索結果をディスプレイ表示できる所謂「電子目次本付きカラオケリモコン装置」が普及している。
【０００３】
このような最近のリモコン装置は、演奏予約方法の高機能化に加え、インターネットの情報端末としての機能やゲームやクイズといった多種のアトラクション機能なども付帯されて多機能になった分、付加価値が著しく高まった。そして、リモコン装置とは、元来、利便性を高めるため、持ち運びが容易にできるように小型化されているが、その特性が故に持ち去られるといった危険性が高い。例えば、特許文献１では、リモコン装置対応ではないが、最近のダウンサイジングの技術的進歩により、小型化されたカラオケ演奏装置の盗難を防止するため、盗難によるカラオケ演奏装置の電源切断や当該演奏装置と所定の監視装置との接続回線の切断を検出して、アラームを発するようにしたカラオケシステムが開示されている。
【特許文献１】特開平１０−１８８１５０号公報
【発明の開示】
【発明が解決しようとする課題】
【０００４】
しかしながら、従来では、リモコン装置の盗難を検知したり、あるいは、盗難リモコンの不正使用を検知するための技術は想到されておらず、一旦盗難されてしまったならば、他のカラオケ演奏装置にて自由に利用し続けることができるという問題がある。この問題に対し、シリアル番号やＩＰアドレスなどといった端末ＩＤをカラオケ演奏装置に付帯させ、その端末ＩＤを紐付けして付帯の各リモコン装置に登録し、端末ＩＤが紐付けされていないカラオケ演奏装置では、当該リモコン装置を利用させないようにすることもできるが、一時的に、登録されていないカラオケ演奏装置にも使いたい場合、例えば、対応されたカラオケ演奏装置が故障したり、性急なメンテナンスを行いたい場合に、別の紐付けされていないカラオケ演奏装置を持ってきて、一時的に入れ替えたりすることができないという不都合が生じる。また、これと同じ理屈で、リモコン装置にＩＤを付帯させ、当該リモコンＩＤを紐付けして所定のカラオケ演奏装置に登録した場合でも、そのリモコン装置が故障したり、性急なメンテナンスを必要とする場合には、別の紐付けされていないリモコン装置を持ってこれず、同じような不都合が生じてしまう。
【０００５】
そこで、本発明は、上記問題や不都合を解消するために想到されたもので、すなわち、付帯したリモコン装置の盗難を所定のタイミングで自動的に検知でき、さらに、一時的なリモコン装置の入れ替えについても従来通り対応できるカラオケ演奏装置と、万一リモコン装置が盗難されたとしても、その盗難リモコン装置が別のカラオケ演奏装置にて不正使用された際、これを効率的に検知できるカラオケシステムの提供を目的とする。
【課題を解決するための手段】
【０００６】
上記課題を鑑み、本発明者らは、ＩＤが付されたリモコン装置からの演奏予約の際、演奏予約信号と共に当該リモコン装置のＩＤ識別信号を受け取らせ、演奏予約と次の演奏予約との間の経過時間を計測する時間計測手段を設け、そのＩＤ別に、計測値が予め設定された規定値に達した場合、当該達した旨を知らしめるためのアラーム機能をカラオケ演奏装置に付帯させ、また、そのカラオケ演奏装置を利用し、当該規定値到達ＩＤをカラオケホスト装置にアップロードさせて一括的に管理し、その規定値到達ＩＤをネットワーク接続された各カラオケ演奏装置にダウンロードさせるカラオケシステムを構築することで上記課題を解決できることを見出し、本発明のリモコン装置盗難検知機能付きカラオケ演奏装置およびこれを利用したカラオケシステムを想到した。
【０００７】
すなわち、本発明の請求項１記載のカラオケ演奏装置は、カラオケ楽曲を配信するためのカラオケホスト装置にネットワーク接続され、付帯したリモコン装置からの演奏予約に従い、順次カラオケ楽曲の演奏を行うためのカラオケ演奏装置において、
（ア）付帯した各リモコン装置にはそれぞれＩＤが付されており、任意のリモコン装置からの演奏予約の際、演奏予約信号と共に当該リモコン装置のＩＤ識別信号を受け取るためのリモコン信号受信手段と、
（イ）前記各リモコン装置からＩＤ識別信号を受信した時点で、当該ＩＤ別に、計測値を初期化すると共に新たな時間計測を開始する時間計測手段と、を備え、
（ウ）前記時間計測手段により、任意のＩＤの計測値が予め設定された規定値に達した場合、当該達した旨を知らしめるためのアラーム機能を有することを特徴とする。
【０００８】
また、本発明の請求項２記載のカラオケシステムは、請求項１記載のカラオケ演奏装置を利用したカラオケシステムであって、
（エ）前記時間計測手段により、任意のＩＤの計測値が予め設定された規定値に達した場合、当該規定値到達ＩＤを前記カラオケ演奏装置内の所定の記録部に登録すると共に、当該登録された規定値到達ＩＤを、前記カラオケホスト装置にアップロードして、当該カラオケホスト装置内の所定の記録部に登録するためのＩＤアップロード登録処理手段と、
（オ）前記登録された規定値到達ＩＤを前記カラオケホスト装置に接続された各カラオケ演奏装置にダウンロードして、当該各カラオケ演奏装置内の所定の記録部に登録するためのＩＤダウンロード登録処理手段と、を含んでなり、
（カ）前記各カラオケ演奏装置が前記ＩＤダウンロード登録処理手段により登録された前記規定値到達ＩＤと同じＩＤのＩＤ識別信号を受信した場合、当該受信した旨を知らしめるためのアラーム機能を有することを特徴とする。
【０００９】
さらに、本発明の請求項３記載のカラオケシステムは、請求項２記載のカラオケシステムにおいて、
（キ）前記各カラオケ演奏装置にはそれぞれ端末ＩＤが付されており、任意のカラオケ演奏装置が前記規定値到達ＩＤと同じＩＤのＩＤ識別信号を受信した場合、当該端末ＩＤを前記カラオケホスト装置にアップロードして、当該カラオケホスト装置内の所定の記録部に登録するための端末ＩＤアップロード登録処理手段を、さらに含んでなることを特徴とする。
【発明の効果】
【００１０】
本発明の請求項１記載のカラオケ演奏装置によれば、ＩＤが付された所定のリモコン装置による演奏予約と次の演奏予約との間の経過時間を計測し、その測定時間が異常に長い場合、具体的には、カラオケ管理者が常識的なリモコン装置の使用状態から判断して予め測定時間の規定値を設定し、計測時間が規定値に到達した場合に、リモコン装置が盗難されたと見なして判断し、そのタイミングでアラームを発することで、リモコン装置の盗難を自動的に検知でき、また、特定のカラオケ演奏装置と特定のリモコン装置を紐付けさせてはいないため、一時的なリモコン装置の入れ替えについても従来通り対応できるといった効果を奏する。
【００１１】
また、本発明の請求項２記載のカラオケシステムによれば、請求項１記載のカラオケ演奏装置を利用し、カラオケホスト装置とネットワーク接続された各カラオケ演奏装置により、万一リモコン装置が盗難されたとしても、その盗難リモコン装置のＩＤをカラオケ演奏装置からカラオケホスト装置にアップロードさせて一元的に管理し、そのＩＤをネットワーク接続された各カラオケ演奏装置にダウンロードさせることにより、別のカラオケ演奏装置にて盗難リモコン装置が不正使用された際には、これを効率的に検知できるといった効果を奏する。
【００１２】
さらに、本発明の請求項３記載のカラオケシステムによれば、請求項２記載のカラオケシステムにおいて、盗難リモコン装置のＩＤを検知したカラオケ演奏装置が、その端末ＩＤによりカラオケホスト装置にて特定できるため、カラオケホスト装置が盗難リモコン装置の所在を一元的に検知できるといった効果を奏する。
【発明を実施するための最良の形態】
【００１３】
以下、本発明のリモコン装置盗難検知機能付きカラオケ演奏装置およびこれを利用したカラオケシステムについて、最適な実施例を挙げ、本発明を詳述する。
【実施例１】
【００１４】
図１は本発明のカラオケ演奏装置が付帯するリモコン装置の概略的外観図であり、（イ）は正面斜視図、（ロ）は背面斜視図である。先ず、（イ）に示すように、本実施例におけるリモコン装置（Ｒ）の本体（２）のサイズは両手を軽く開いた状態で持てる程度のもので、その形状は湾曲部を備えた略矩状のものである。そして、表示手段としては液晶ディスプレイ（以下、ＬＣＤと称す：３）が設けられ、このＬＣＤ（３）にはタッチセンサ方式の操作パネル（３ａ）が装着されている。さらに、本体正面の略上端部には、演奏予約の際、所定のカラオケ演奏装置に、リモコン装置（Ｒ）のＩＤ識別信号と演奏予約信号とを送信するために使用する発光ダイオードからなる赤外線転送部（以下、ＬＥＤと称す：図示省略）が設けられている。一方、（ロ）に示すように、本体背面の下端部には、リモコン装置（Ｒ）の二次電池に電力供給をするための充電器とデータの同期処理器を兼用した充電ステーション（通称「クレードル」）に装着して接続するための接続端子（５）が設けられている。
【００１５】
次に、図２に示す、本発明のカラオケ演奏装置が付帯するリモコン装置のブロック構成図に基づき、請求項１記載の（ア）から（ウ）の構成において、リモコン装置からの演奏予約の際、当該リモコン装置によるＩＤ識別信号の送信などについて詳述する。
【００１６】
本実施例における所定のカラオケ演奏装置（１）が付帯するリモコン装置（Ｒ）は、ＬＣＤ（３）、操作パネル（３ａ）、操作制御手段（４）、接続端子（５）、中央制御手段（６）、通信インタフェイス（７）、フラッシュメモリ（８）、ＬＥＤ（９）などを主な構成要件としている。外部記憶として機能するフラッシュメモリ（８）には、リモコン装置（Ｒ）のリモコンＩＤ（８ａ）が登録されており、さらに、対応するカラオケ演奏装置（１）にて利用可能なカラオケ楽曲について、それぞれの楽曲の曲名データ、歌手名データ、歌詞の唄い出し部データなどの各種データと所定の検索エンジンと共に楽曲索引データベース（８ｂ）が構築されている。なお、リモコン装置（Ｒ）のリモコンＩＤ（８ａ）はフラッシュメモリ（８）ではなく、中央制御手段（６）のＲＡＭ（図示省略）に格納される場合もある。また、このリモコン装置（Ｒ）がクレードル（ＣＲ）に装着された状態とは、中央制御手段（６）が通信インタフェイス（７）を介して対応するカラオケ演奏装置（１）と通信可能な状態にあることを示し、この状態にて、新規のカラオケ楽曲についての属性情報などをダウンロードしてフラッシュメモリ（８）に格納することで、楽曲索引データベース（８ａ）は適時に更新される。
【００１７】
利用者が最終的に選択した１つのカラオケ楽曲をＬＣＤ（３）に提示した状態で、操作制御手段（６）を介して演奏予約する旨の入力があれば楽曲コードが生成されて確定し、その楽曲コードがＬＥＤドライバ（図示省略）に転送される。そして、ＬＥＤドライバはこの楽曲コードの変調信号をＬＥＤ（９）に与え、所定のカラオケ演奏装置（１）に演奏予約信号として赤外線（ｉｒ）をもって送信する。そして、この演奏予約の際、フラッシュメモリ（８）に登録されたリモコン装置（Ｒ）のＩＤ（８ａ）をＩＤ識別信号として、この演奏予約信号と共に所定のカラオケ演奏装置（１）へ送信する。カラオケ演奏装置（１）はこの複合リモコン信号を受信すると、その演奏予約信号に基づき、楽曲コードを演奏予約の待ち行列として管理し、一方、そのＩＤ識別信号に基づき、後述する時間計測手段に作用し、その計測値を初期化すると共に新たな時間計測を開始する。
【００１８】
ここで、図３に示す、本発明のカラオケ演奏装置のブロック構成図に基づき、請求項１記載の（ア）から（ウ）の構成において、リモコン装置盗難検知機能付きカラオケ演奏装置の構成について詳述する。
【００１９】
本実施例のカラオケ演奏装置（１）は、パソコン相当のコンピュータ応用機器であり、中央制御手段（１１）がＣＰＵ・ＲＯＭ・ＲＡＭを含んだコンピュータ本体であり、大容量の記憶手段であるハードディスク装置（１２）、リモコン装置からの演奏予約の際に、演奏予約信号と共に当該リモコン装置のＩＤ識別信号を受け取るためのリモコン信号受信手段（１０）、各リモコン装置からＩＤ識別信号を受信した時点で、当該ＩＤ別に、計測値を初期化すると共に新たな時間計測を開始する時間計測手段（１３）、加入電話回線やＩＳＤＮ回線などのネットワーク回線を介してカラオケホスト装置と通信する通信制御手段（１８）、ＭＩＤＩデータを主体にした音楽演奏データに基づき、伴奏音楽の音響信号を生成する音楽生成手段（１６）、伴奏音楽やマイク（Ｍ）からの音響信号を増幅してスピーカ（Ｓ）から発音する音響処理手段（１７）、ＣＲＴやＬＣＤあるいはＰＤＰなどを用いた表示手段（１５）などを備えている。
【００２０】
中央制御手段（１１）は適宜な記録部に演奏予約の待ち行列を作成し、演奏予約されたカラオケ楽曲の演奏順序を管理している。リモコン信号受信手段（１０）により入力される演奏予約信号にはカラオケ楽曲を特定する数字列からなる楽曲コード（楽曲識別コード）が含まれており、中央制御手段（１１）は、演奏予約信号が入力されたならば、その中の楽曲コードがカラオケ楽曲データベースに登録されている演奏可能な楽曲のものであるかを確認した上で、その楽曲コードを演奏待ち行列に登録し、この演奏待ち行列から順次楽曲コードを取り出し、ハードディスク装置（１２）内に構築されたカラオケ楽曲データベースをもって、その楽曲コード（１２ｃ）に対応して、ＭＩＤＩデータやＡＤＰＣＭデータなどで表現されたカラオケ伴奏音楽の起源となる演奏データ（１２ｄ）を取り出し、音響処理手段（１７）を介してスピーカ（Ｓ）から放音する。同時に、伴奏音楽に同期した歌詞テロップと伴奏音楽の出力期間に歌詞テロップの背景として表示する背景映像からなる映像データ（１２ｅ）を取り出し、画像処理手段（１４）を介して表示手段（１５）にて放映する。
【００２１】
時間計測手段（１３）は、ＩＤが付されたリモコン装置からの演奏予約の際、演奏予約信号と共に当該リモコン装置のＩＤ識別信号を受け取らせ、演奏予約と次の演奏予約との間の経過時間を計測するもので、各リモコン装置からＩＤ識別信号を受信した時点で、当該ＩＤ別に、計測値を初期化すると共に新たな時間計測を開始するもので、通常の使用状態では、絶えず計測値が初期化されているが、常識的な時間を越えて初期化が行われず、カラオケ管理者が通常のリモコン装置の使用状態から判断して予め設定した測定時間の規定値（例えば３０分）に到達した場合、リモコン装置が盗難されたと見なして判断し、そのタイミングでアラームを発する。アラームの発し方は、サイレンや音声告知といった音響アラームやパトランプ点灯やディスプレイ表示といった表示アラームなど、従来公知の任意の方法でよく、また、アラームの発し場所もカラオケ演奏装置の設置場所近傍の他、複数のカラオケ演奏装置を集中管理するカラオケ店舗では、その集中管理室あるいは精算カウンタさらには防犯監視室などであっても構わない。
【００２２】
本実施例では、規定値に達したリモコンＩＤはハードディスク装置（１２）における所定の記録部に規定値到達ＩＤ（１２ｂ）として登録される。さらに、そのハードディスク装置（１２）には、このカラオケ演奏装置を利用したカラオケシステムのために、カラオケホスト装置にて各カラオケ演奏装置からアップロードされる規定値到達ＩＤがどのカラオケ演奏装置からのものなのかを判断したり、また、盗難リモコン装置のＩＤを検知したカラオケ演奏装置がどのカラオケ演奏装置なのかを判断したりするために、その端末ＩＤ（１２ａ）も登録されている。
【００２３】
以下、図４に示す、本発明のカラオケシステムのブロック構成図、図５に示す、本発明のカラオケシステムのネットワーク構成図に基づき、請求項２記載の（エ）から（カ）および請求３載の（キ）の構成について詳述する。
【実施例２】
【００２４】
先ず、図４に示すように、本実施例のカラオケシステム（３０）は、主に、演奏予約信号と共に当該リモコン装置のＩＤ識別信号を送信するリモコン装置（Ｒ）と、その複合リモコン信号を赤外線（ｉｒ）をもって受信する上記カラオケ演奏装置（１）と、このカラオケ演奏装置（１）とネットワーク通信回線（Ｎ）を介して接続され、カラオケ楽曲を配信するためのカラオケホスト装置（Ｈ）などにて構成される。
【００２５】
カラオケホスト装置（Ｈ）には、装置内の制御を統括的に行うための中央制御手段（２１）や、ネットワーク接続のインタフェイスとして通信を制御する通信制御手段（２０）が設けられ、さらに、ハードディスク装置（２２）には、盗難リモコン装置管理ファイル（２３）が作成され、当該カラオケホスト装置（Ｈ）にアップロードされた規定値到達ＩＤ（２３ａ）の記録部と、その規定値到達ＩＤ（２３ａ）がどのカラオケ演奏装置からアップロードされたかを確認するための端末ＩＤ（２３ｂ）の記録部が設けられている。そして、これら手段が総じて、本発明におけるＩＤアップロード登録処理手段と、その規定値到達ＩＤ（２３ａ）を、図５に示すように、カラオケホスト装置（Ｈ）にネットワーク通信回線（Ｎ）を介して接続された各カラオケ演奏装置（１，１…）にダウンロードし、当該各カラオケ演奏装置（１，１…）内の所定の記録部に登録するためのＩＤダウンロード登録処理手段とを構成する。なお、登録された規定値到達ＩＤ（２３ａ）でも、盗難されたものでないことが判明されていれば、適宜、削除される。
【００２６】
さらに、図５に示すように、各カラオケ演奏装置（１，１…）には、それぞれ対応したリモコン装置（Ｒ１，Ｒ２…Ｒｎ，Ｒｎ＋１）があり、各カラオケ演奏装置（１，１…）がＩＤダウンロード登録処理手段により登録された規定値到達ＩＤと同じＩＤのＩＤ識別信号を受信した場合、当該受信した旨を知らしめるアラームを発する。なお、アラームの発し方や発し場所については、上述した如く、予め設定した測定時間の規定値に到達した場合にリモコン装置が盗難されたと見なした際と同じであるが、この時、各カラオケ演奏装置（１，１…）にはそれぞれ端末ＩＤを付し、任意のカラオケ演奏装置（１）が規定値到達ＩＤと同じＩＤのＩＤ識別信号を受信した場合、当該端末ＩＤをカラオケホスト装置（Ｈ）にアップロードして、図３に示したように、カラオケ演奏装置（１）の中央制御手（１１）、通信制御手段（１８）、ハードディスク装置（１２）などを総じて端末ＩＤアップロード登録処理手段を成すことで、その端末ＩＤによりカラオケホスト装置（Ｈ）にてカラオケ演奏装置を特定することができ、カラオケホスト装置（Ｈ）が盗難リモコン装置の所在を一元的に検知できるので好ましい。
【００２７】
以下、図６に示す、本発明のカラオケ演奏装置使用時のシステムフロー図と、図７および図８に示す、本発明のカラオケシステムのシステムフロー図に基づき、請求項２記載の（エ）から（カ）および請求項３記載の（キ）の構成について、さらに詳述する。
【００２８】
本発明のカラオケ演奏装置を利用する利用者は、先ず、図６に示すように、その付帯するリモコン装置から演奏予約する（Ｓ１）と、そのリモコン装置から演奏予約信号とＩＤ識別信号が送信される（Ｓ２）。カラオケ演奏装置では、演奏予約信号とＩＤ識別信号からなる複合リモコン信号をカラオケ演奏装置が受信する（Ｓ３）と、その演奏予約信号に基づき、演奏予約楽曲が演奏待ち行列に登録される（Ｓ４）。略同時に、そのＩＤ識別信号に基づき、ＩＤ別に、タイマ（時間計測手段）の測定値の初期化と同時に、新たな計測が開始される（Ｓ５）。この時、計測値が初期化された場合には、少なくとも、そのＩＤに対応したリモコン装置を用いた演奏予約は繰り返されるが、初期化されずに計測値が規定値に達した場合には、そのＩＤに対応したリモコン装置が盗難されたと見なされ、そのタイミングでアラームが発信される（Ｓ７）。
【００２９】
さらに、本発明のカラオケシステムでは、図７に示すように、初期化されずに計測値が規定値に達した場合、そのＩＤに対応したリモコン装置が盗難されたと見なされ、そのタイミングでアラームが発信される（Ｓ７）と、カラオケ演奏装置の所定の記録部には当該規定値到達ＩＤが登録される（Ｓ８）。登録された場合、随時、カラオケホスト装置へは当該規定値到達ＩＤがアップロードされ（Ｓ９）、カラオケホスト装置では、その規定値到達ＩＤを所定の記録部へ登録する（Ｓ１０）。そして、この登録された規定値到達ＩＤは、適宜、カラオケホスト装置に接続された各カラオケ演奏装置にダウンロード（Ｓ１１）される。
【００３０】
そして、図８に示すように、ダウンロードされた規定値到達ＩＤはそれぞれ所定の記録部に登録され（Ｓ１２）、各カラオケ演奏装置において利用者が演奏予約をする（Ｓ１３）と、リモコン装置から演奏予約信号とＩＤ識別信号が送信される（Ｓ１４）。すると、上記同様に、演奏予約信号とＩＤ識別信号からなる複合リモコン信号をカラオケ演奏装置が受信し（Ｓ１５）、カラオケ演奏装置では、演奏予約信号に基づき、演奏予約楽曲が演奏待ち行列に登録される（Ｓ１６）。この時、受信したＩＤと規定値到達ＩＤが同じか否かが判断される（Ｓ１７）が、異なる場合には、少なくとも、その受信ＩＤに対応したリモコン装置を用いた演奏予約は繰り返されるが、同じ場合には、当該盗難リモコンのＩＤである規定値到達ＩＤを受信した旨を知らしめるアラームが発信される（Ｓ１８）。同時に、カラオケ演奏装置の端末ＩＤをカラオケホスト装置にアップロードし（Ｓ１９）、当該端末ＩＤをカラオケホスト装置内の所定の記録部に登録する（Ｓ２０）。これにより、盗難リモコン装置が別のカラオケ演奏装置にて不正使用された際には、これを効率的に検知できる。
【００３１】
以上、詳述したように、本発明のリモコン装置盗難検知機能付きカラオケ演奏装置およびこれを利用したカラオケシステムによれば、ＩＤが付されたリモコン装置からの演奏予約の際、演奏予約信号と共に当該リモコン装置のＩＤ識別信号を受け取らせ、演奏予約と次の演奏予約との間の経過時間を計測する時間計測手段を設け、そのＩＤ別に、計測値が予め設定された規定値に達した場合、当該達した旨を知らしめるためのアラーム機能をカラオケ演奏装置に付帯させ、また、そのカラオケ演奏装置を利用し、当該規定値到達ＩＤをカラオケホスト装置にアップロードさせて一括的に管理し、その規定値到達ＩＤをネットワーク接続された各カラオケ演奏装置にダウンロードさせるカラオケシステムを構築することで、リモコン装置の盗難を所定のタイミングで自動的に検知でき、また、特定のカラオケ演奏装置と特定のリモコン装置を紐付けさせてはいないため、一時的なリモコン装置の入れ替えについても従来通り対応でき、また、別のカラオケ演奏装置にて盗難リモコン装置が不正使用された際には、これを効率的に検知できる。
【図面の簡単な説明】
【００３２】
【図１】本発明のカラオケ演奏装置が付帯するリモコン装置の概略的外観図。
【図２】本発明のカラオケ演奏装置が付帯するリモコン装置のブロック構成図。
【図３】本発明のカラオケ演奏装置のブロック構成図。
【図４】本発明のカラオケシステムのブロック構成図。
【図５】本発明のカラオケシステムのネットワーク構成図。
【図６】本発明のカラオケ演奏装置使用時のシステムフロー図。
【図７】本発明のカラオケシステムのシステムフロー図。
【図８】本発明のカラオケシステムのシステムフロー図。
【符号の説明】
【００３３】
１    カラオケ演奏装置
１０  リモコン信号受信手段
１１  中央制御手段
１２  ハードディスク装置
１２ａ  端末ＩＤ
１２ｂ  規定値到達ＩＤ
１３  時間計測手段
１８  通信制御手段
２０  通信制御手段
２１  中央制御手段
２２  ハードディスク装置
２３  盗難リモコン装置管理ファイル
２３ａ  規定値到達ＩＤ
２３ｂ  端末ＩＤ
【図１】
2005283808.tif 000003
【図２】
2005283808.tif 000004
【図３】
2005283808.tif 000005
【図４】
2005283808.tif 000006
【図５】
2005283808.tif 000007
【図６】
2005283808.tif 000008
【図７】
2005283808.tif 000009
【図８】
2005283808.tif 000010